(57)【要約】【課題】録画予約を受け付けた番組と同じ内容の番組が放送される予定がある場合に、利用者が望む画質の番組を容易に録画予約することが可能な記録再生装置を提供する。【解決手段】ＤＶＤレコーダは、番組の録画予約を受け付けた際に、録画予約を受け付けた番組と同じ内容の番組が放送される予定があるか否かをＲＯＭに記憶されたＥＰＧデータに基づいて判断する。そして、ＤＶＤレコーダは、録画予約を受け付けた番組と同じ内容の番組が放送される予定がある場合に、録画予約を受け付けた番組と同じ内容の番組とのいずれが画質の点で録画設定に近いかを判断する。そして、ＤＶＤレコーダは、同じ内容の番組の画質が録画予約を受け付けた番組の画質よりも録画設定に近い場合に、録画予約を受け付けた番組に替えて同じ内容の番組を録画予約するか否かを選択させる画面を表示装置に表示させる。【選択図】図６
2010183469.tif 000002
【特許請求の範囲】
【請求項１】
放送予定の番組の番組情報を記憶する記憶部と、
前記記憶部に記憶された番組情報に基づいて、番組表を表示装置に表示させる表示制御部と、
前記表示装置に前記番組表が表示された状態で、放送予定の番組の録画予約を受け付けるための操作部と、
録画予約された番組が放送された場合に、前記録画予約された番組を録画するための制御部と、を備えた記録再生装置において、
前記記憶部は、画質に関する変更可能な録画設定を記憶し、
前記制御部は、
番組の録画予約を受け付けた際に、録画予約を受け付けた番組と同じ内容の番組が放送される予定があるか否かを前記記憶部に記憶された番組情報に基づいて判断し、
録画予約を受け付けた番組と同じ内容の番組が放送される予定がある場合に、前記録画予約を受け付けた番組と前記同じ内容の番組とのいずれが画質の点で前記録画設定に近いかを判断し、
前記同じ内容の番組の画質が前記録画予約を受け付けた番組の画質よりも前記録画設定に近い場合に、前記表示制御部により、前記録画予約を受け付けた番組に替えて前記同じ内容の番組を録画予約するか否かを選択させる画面を前記表示装置に表示させる、ことを特徴とする記録再生装置。
【請求項２】
請求項１に記載の記録再生装置において、
前記制御部は、前記録画予約を受け付けた番組の画質が前記同じ内容の番組の画質よりも前記録画設定に近い場合に、前記録画予約を受け付けた番組を録画予約する、ことを特徴とする記録再生装置。
【請求項３】
請求項１に記載の記録再生装置において、
前記制御部は、
前記録画設定が高画質である場合に、前記録画予約を受け付けた番組と前記同じ内容の番組とのいずれが高画質であるかを判断し、
前記同じ内容の番組が前記録画予約を受け付けた番組よりも高画質である場合に、前記表示制御部により、前記録画予約を受け付けた番組に替えて前記同じ内容の番組を録画予約するか否かを選択させる画面を前記表示装置に表示させる、ことを特徴とする記録再生装置。
【請求項４】
請求項３に記載の記録再生装置において、
前記制御部は、前記録画予約を受け付けた番組が前記同じ内容の番組よりも高画質である場合に、前記録画予約を受け付けた番組を録画予約する、ことを特徴とする記録再生装置。
【請求項５】
請求項１に記載の記録再生装置において、
前記制御部は、
前記録画設定が低画質である場合に、前記録画予約を受け付けた番組と前記同じ内容の番組とのいずれが低画質であるかを判断し、
前記同じ内容の番組が前記録画予約を受け付けた番組よりも低画質である場合に、前記表示制御部により、前記録画予約を受け付けた番組に替えて前記同じ内容の番組を録画予約するか否かを選択させる画面を前記表示装置に表示させる、ことを特徴とする記録再生装置。
【請求項６】
請求項５に記載の記録再生装置において、
前記制御部は、前記録画予約を受け付けた番組が前記同じ内容の番組よりも低画質である場合に、前記録画予約を受け付けた番組を録画予約する、ことを特徴とする記録再生装置。
【発明の詳細な説明】
【技術分野】
【０００１】
本発明は、録画予約された番組を録画するための制御部を備えた記録再生装置に関する。
【背景技術】
【０００２】
従来、記録再生装置が種々知られている（たとえば、特許文献１〜５参照）。
【０００３】
上記特許文献１には、録画される番組が複数の解像度の映像を含む場合において、蓄積手段の容量が少ないことにより、高解像度の映像が蓄積できない場合に、低解像度の映像を蓄積するか否かを利用者に選択させる蓄積再生装置が開示されている。
【０００４】
また、上記特許文献２には、録画される番組のジャンル毎に、動画の圧縮率を設定可能な記録装置が開示されている。
【０００５】
また、上記特許文献３には、複数の経路から入手した同じ内容のコンテンツ（番組）を記録する記録装置が開示されている。この記録装置は、解像度などの評価値に基づいて、複数の同じ内容のコンテンツから一番品質の良いコンテンツを判定する。そして、記録装置は、一番品質の良いコンテンツを残し、その他のコンテンツを削除する。
【０００６】
また、上記特許文献４には、番組が低ビットレートで記録されている場合において、同じ内容の番組が再放送された場合に、再放送された番組を高ビットレートで記録する記録再生装置が開示されている。
【０００７】
また、上記特許文献５には、複数の経路からコンテンツを蓄積する蓄積装置が開示されている。この蓄積装置は、同じ内容のコンテンツが２つ蓄積された場合に、画質などに基づいて一方のコンテンツを削除する。
【先行技術文献】
【特許文献】
【０００８】
【特許文献１】特許第３８４９５０１号公報
【特許文献２】特開２００２−４４６０４号公報
【特許文献３】特開２００８−１７２１２号公報
【特許文献４】特開２００１−２７５０７２号公報
【特許文献５】特開２００７−７３１２３号公報
【発明の概要】
【発明が解決しようとする課題】
【０００９】
しかしながら、上記特許文献１に開示された従来の蓄積再生装置では、蓄積手段の容量が少なくない場合には、自動的に高解像度の映像が蓄積されると考えられるので、利用者が望む解像度の映像を蓄積することが困難であるという問題点がある。
【００１０】
なお、上記特許文献２〜５には、録画予約を受け付けた番組と同じ内容の番組が放送される予定がある場合に、いずれの番組を録画予約するかについては、開示も示唆もされていない。
【００１１】
本発明は、上述した課題を解決するものであって、その目的とするところは、録画予約を受け付けた番組と同じ内容の番組が放送される予定がある場合に、利用者が望む画質の番組を容易に録画予約することが可能な記録再生装置を提供することである。
【課題を解決するための手段】
【００１２】
本発明の記録再生装置は、放送予定の番組の番組情報を記憶する記憶部と、記憶部に記憶された番組情報に基づいて、番組表を表示装置に表示させる表示制御部と、表示装置に番組表が表示された状態で、放送予定の番組の録画予約を受け付けるための操作部と、録画予約された番組が放送された場合に、録画予約された番組を録画するための制御部と、を備えた記録再生装置において、記憶部は、画質に関する変更可能な録画設定を記憶する。そして、制御部は、番組の録画予約を受け付けた際に、録画予約を受け付けた番組と同じ内容の番組が放送される予定があるか否かを記憶部に記憶された番組情報に基づいて判断し、録画予約を受け付けた番組と同じ内容の番組が放送される予定がある場合に、録画予約を受け付けた番組と同じ内容の番組とのいずれが画質の点で録画設定に近いかを判断し、同じ内容の番組の画質が録画予約を受け付けた番組の画質よりも録画設定に近い場合に、表示制御部により、録画予約を受け付けた番組に替えて同じ内容の番組を録画予約するか否かを選択させる画面を表示装置に表示させる。
【００１３】
なお、番組情報は、チャンネル名、番組名、解像度やビットレートなどの画質情報、番組の長さ（時間長）、開始時間、終了時間、および、番組内容の紹介などを含む。また、録画予約を受け付けた番組と同じ内容の番組とは、たとえば、再放送される番組などであり、番組名や番組の長さなどに基づいて判断される。
【００１４】
このように構成することによって、録画予約を受け付けた番組と同じ内容の番組が放送される予定がある場合において、同じ内容の番組の画質が録画予約を受け付けた番組の画質よりも録画設定に近い場合に、録画予約を受け付けた番組に替えて同じ内容の番組を利用者が容易に録画予約することができる。したがって、たとえば、利用者が録画設定を高画質に設定し、同じ内容の番組が録画予約を受け付けた番組よりも高画質である場合には、録画予約を受け付けた番組に替えて、高画質である同じ内容の番組を利用者が容易に録画予約することができる。また、利用者が録画設定を低画質に設定し、同じ内容の番組が録画予約を受け付けた番組よりも低画質である場合には、録画予約を受け付けた番組に替えて、低画質である同じ内容の番組を利用者が容易に録画予約することができる。その結果、録画設定に基づいて利用者が望む画質の番組を容易に録画予約することができる。
【００１５】
上記記録再生装置において、制御部は、録画予約を受け付けた番組の画質が同じ内容の番組の画質よりも録画設定に近い場合に、録画予約を受け付けた番組を録画予約するようにしてもよい。
【００１６】
このように構成すれば、録画予約を受け付けた番組と同じ内容の番組が放送される予定がある場合において、録画予約を受け付けた番組の画質が同じ内容の番組の画質よりも録画設定に近い場合に、録画予約を受け付けた番組がそのまま録画予約されるので、録画設定に基づいて利用者が望む画質の番組を容易に録画予約することができる。
【００１７】
上記記録再生装置において、制御部は、録画設定が高画質である場合に、録画予約を受け付けた番組と同じ内容の番組とのいずれが高画質であるかを判断し、同じ内容の番組が録画予約を受け付けた番組よりも高画質である場合に、表示制御部により、録画予約を受け付けた番組に替えて同じ内容の番組を録画予約するか否かを選択させる画面を表示装置に表示させるようにしてもよい。
【００１８】
この場合において、制御部は、録画予約を受け付けた番組が同じ内容の番組よりも高画質である場合に、録画予約を受け付けた番組を録画予約するようにしてもよい。
【００１９】
上記記録再生装置において、制御部は、録画設定が低画質である場合に、録画予約を受け付けた番組と同じ内容の番組とのいずれが低画質であるかを判断し、同じ内容の番組が録画予約を受け付けた番組よりも低画質である場合に、表示制御部により、録画予約を受け付けた番組に替えて同じ内容の番組を録画予約するか否かを選択させる画面を表示装置に表示させるようにしてもよい。
【００２０】
この場合において、制御部は、録画予約を受け付けた番組が同じ内容の番組よりも低画質である場合に、録画予約を受け付けた番組を録画予約するようにしてもよい。
【発明の効果】
【００２１】
本発明によれば、録画予約を受け付けた番組と同じ内容の番組が放送される予定がある場合に、利用者が望む画質の番組を容易に録画予約することが可能な記録再生装置を提供することができる。
【図面の簡単な説明】
【００２２】
【図１】本発明の一実施形態によるＤＶＤレコーダの全体構成を示したブロック図である。
【図２】表示装置に電子番組表が表示された状態を示した図である。
【図３】表示装置に録画設定画面が表示された状態を示した図である。
【図４】表示装置に選択画面が表示された状態を示した図である。
【図５】表示装置に選択画面が表示された状態を示した図である。
【図６】本発明の一実施形態によるＤＶＤレコーダの録画予約時の動作を説明するためのフローチャートである。
【発明を実施するための形態】
【００２３】
以下、本発明の実施形態について、図面を参照しながら説明する。なお、以下の実施形態では、記録再生装置の一例であるＤＶＤレコーダに本発明を適用した場合について説明する。
【００２４】
まず、図１〜図５を参照して、本発明の一実施形態によるＤＶＤレコーダ１００の構成について説明する。
【００２５】
本実施形態によるＤＶＤレコーダ１００は、図１に示すように、表示装置２００が接続されるＤＶＤレコーダ本体１と、ＤＶＤレコーダ本体１を遠隔操作するリモコン２とを備えている。なお、リモコン２は、本発明の「操作部」の一例である。
【００２６】
ＤＶＤレコーダ本体１は、チューナ１１と、ＨＤＤ部１２と、ＤＶＤ部１３と、処理部１４と、ＥＰＧ（Electronic  Program Guide：電子番組ガイド）データ抽出部１５と、ＯＳＤ（On-Screen  Display）部１６と、合成部１７と、出力部１８と、受信部１９と、ＣＰＵ２０と、ＲＯＭ２１と、ＲＡＭ２２とを含んでおり、これらはバス１ａを介して接続されている。なお、ＯＳＤ部１６は、本発明の「表示制御部」の一例である。また、ＣＰＵ２０は、本発明の「制御部」の一例であり、ＲＯＭ２１は、本発明の「記憶部」の一例である。
【００２７】
チューナ１１には、アンテナ（図示省略）が接続されており、チューナ１１は、地上デジタル放送、ＢＳデジタル放送、およびＣＳデジタル放送などの様々なテレビジョン放送を受信する。そして、チューナ１１は、受信した放送信号を処理部１４およびＥＰＧデータ抽出部１５に出力する。なお、チューナ１１が出力する放送信号には、映像音声情報および放送予定の番組の番組情報（ＥＰＧデータ）が含まれている。また、番組情報は、チャンネル名、番組名、解像度やビットレートなどの画質情報、番組の長さ（時間長）、開始時間、終了時間、および、番組内容の紹介などを含む。
【００２８】
ＨＤＤ部１２は、ハードディスクなどを有しており、映像音声情報を記憶するとともに、記憶した映像音声情報を処理部１４に出力する。ＤＶＤ部１３は、ディスクトレイや光ピックアップなどを有しており、ディスクトレイに載置されたＤＶＤ（図示省略）に対する読み込みおよび書き込みを行う。そして、ＤＶＤ部１３は、ＤＶＤから読み込んだ映像音声情報を処理部１４に出力する。
【００２９】
処理部１４は、デコーダなどを有しており、チューナ１１、ＨＤＤ部１２、およびＤＶＤ部１３から入力された信号に対して所定の処理を施す。そして、処理部１４は、所定の処理が施された信号を合成部１７に出力する。ＥＰＧデータ抽出部１５は、チューナ１１から入力された放送信号からＥＰＧデータを抽出する。そして、抽出されたＥＰＧデータは、ＲＯＭ２１に記憶される。
【００３０】
ＯＳＤ部１６は、ＯＳＤ信号を生成するとともに、生成したＯＳＤ信号を合成部１７に出力する。このＯＳＤ部１６は、ＲＯＭ２１に記憶されたＥＰＧデータに基づいて、電子番組表ＰＧ（図２参照）のためのＯＳＤ信号を生成する。合成部１７は、処理部１４から入力された信号に、ＯＳＤ部１６から入力されたＯＳＤ信号を重畳して出力部１８に出力する。
【００３１】
出力部１８は、合成部１７から入力された信号を表示装置２００に出力する。なお、表示装置２００は、たとえば、液晶テレビジョン受像機であり、映像や電子番組表ＰＧ（図２参照）などを表示する。受信部１９は、フォトダイオードなどを含み、リモコン２から出力されるリモコン信号を受信する。ＣＰＵ２０は、ＤＶＤレコーダ本体１の動作を制御する。ＲＯＭ２１は、書き換え可能な不揮発性のメモリであり、たとえば、フラッシュメモリである。ＲＯＭ２１は、ＤＶＤレコーダ本体１の動作を制御するためのプログラムや、地上デジタル放送、ＢＳデジタル放送、およびＣＳデジタル放送の約１週間分のＥＰＧデータなどを記憶する。ＲＡＭ２２は、たとえば、ＤＲＡＭであり、プログラムが実行される際にデータなどを一時的に記憶する。
【００３２】
ＤＶＤレコーダ１００は、図２に示すように、利用者がリモコン２（図１参照）を操作することにより、電子番組表ＰＧを表示装置２００に表示させるとともに、利用者が選択した番組を予約録画することが可能なように構成されている。なお、電子番組表ＰＧでは、放送の種類、日付、チャンネル名、時間帯、および番組名などが表示される。また、ＤＶＤレコーダ１００は、図３に示すように、利用者がリモコン２を操作することにより、画質に関する録画設定を変更可能なように構成されている。具体的には、ＤＶＤレコーダ１００は、録画設定が「なし」、「高画質」、または「低画質」のいずれかに設定されている。なお、録画設定の内容は、ＲＯＭ２１に記憶されている。
【００３３】
ＤＶＤレコーダ１００は、番組の録画予約を受け付けた際に、録画予約を受け付けた番組と同じ内容の番組が放送される予定があるか否かをＲＯＭ２１に記憶されたＥＰＧデータに基づいて判断する。なお、録画予約を受け付けた番組と同じ内容の番組とは、たとえば、再放送される番組などであり、番組名や番組の長さなどに基づいて判断される。そして、ＤＶＤレコーダ１００は、録画予約を受け付けた番組と同じ内容の番組が放送される予定がある場合に、録画予約を受け付けた番組と同じ内容の番組とのいずれが画質の点で録画設定に近いかを判断する。そして、ＤＶＤレコーダ１００は、同じ内容の番組の画質が録画予約を受け付けた番組の画質よりも録画設定に近い場合に、録画予約を受け付けた番組に替えて同じ内容の番組を録画予約するか否かを選択させる画面（図４のＷ１および図５のＷ２）を表示装置２００に表示させる。
【００３４】
次に、図１〜図６を参照して、本実施形態によるＤＶＤレコーダ１００の録画予約時の動作について説明する。なお、このフローチャートの各ステップは、ＣＰＵ２０（図１参照）により実行される。
【００３５】
まず、ＤＶＤレコーダ１００（図１参照）では、図６のステップＳ１において、録画予約を受け付けたか否かが判断される。具体的には、受信部１９（図１参照）により、リモコン２（図１参照）から出力される録画予約を受け付けたことを示すリモコン信号を受信したか否かが判断される。そして、録画予約を受け付けていない場合には、ステップＳ１が繰り返し行われる。その一方、録画予約を受け付けた場合には、ステップＳ２に移る。
【００３６】
次に、ステップＳ２において、ＲＯＭ２１（図１参照）に記憶された録画設定が「高画質」または「低画質」であるか否かが判断される。そして、録画設定が「高画質」または「低画質」である場合には、ステップＳ３に移る。その一方、録画設定が「なし」である場合には、ステップＳ８において、録画予約を受け付けた番組が録画予約され、録画予約時の動作が終了する。
【００３７】
次に、ステップＳ３において、ＲＯＭ２１に記憶されたＥＰＧデータに基づいて、録画予約を受け付けた番組と同じ内容の番組が放送される予定があるか否かが判断される。たとえば、ステップＳ１において、図２に示すように、地上デジタル放送においてチャンネル１で４月１日のＰＭ４時に放送される予定の「ドラマ○○○」の録画予約を受け付けた場合には、ステップＳ３において、地上デジタル放送、ＢＳデジタル放送、およびＣＳデジタル放送において録画予約を受け付けた番組（地上デジタル放送においてチャンネル１で４月１日のＰＭ４時に放送される予定の「ドラマ○○○」）と同じ内容の番組が放送される予定があるか否かが判断される。
【００３８】
そして、録画予約を受け付けた番組と同じ内容の番組が放送される予定がある場合には、ステップＳ４に移る。その一方、録画予約を受け付けた番組と同じ内容の番組が放送される予定がない場合には、ステップＳ８において、録画予約を受け付けた番組が録画予約され、録画予約時の動作が終了する。
【００３９】
次に、ステップＳ４において、同じ内容の番組が録画予約を受け付けた番組よりも画質の点で録画設定に近いか否かが判断される。そして、同じ内容の番組の画質が録画予約を受け付けた番組の画質よりも録画設定に近い場合には、ステップＳ５に移る。その一方、録画予約を受け付けた番組の画質が同じ内容の番組の画質よりも録画設定に近い場合には、ステップＳ８において、録画予約を受け付けた番組が録画予約され、録画予約時の動作が終了する。
【００４０】
具体的には、録画設定が「高画質」である場合には、録画予約を受け付けた番組と、同じ内容の番組とのいずれが高画質であるかが判断される。画質の比較は、番組情報に含まれている解像度やビットレートなどの画質情報に基づいて行われる。そして、同じ内容の番組が録画予約を受け付けた番組よりも高画質である場合には、ステップＳ５に移り、録画予約を受け付けた番組が同じ内容の番組よりも高画質である場合には、ステップＳ８に移る。
【００４１】
また、録画設定が「低画質」である場合には、録画予約を受け付けた番組と、同じ内容の番組とのいずれが低画質であるかが判断される。そして、同じ内容の番組が録画予約を受け付けた番組よりも低画質である場合には、ステップＳ５に移り、録画予約を受け付けた番組が同じ内容の番組よりも低画質である場合には、ステップＳ８に移る。
【００４２】
次に、ステップＳ５において、ＯＳＤ部１６により、録画予約を受け付けた番組に替えて同じ内容の番組を録画予約するか否かを選択させる画面を表示装置２００に表示させる。具体的には、録画設定が「高画質」である場合には、図４に示すように、録画予約を受け付けた番組よりも高画質である同じ内容の番組を録画予約するか否かを選択させる画面Ｗ１が表示装置２００に表示される。また、録画設定が「低画質」である場合には、図５に示すように、録画予約を受け付けた番組よりも低画質である同じ内容の番組を録画予約するか否かを選択させる画面Ｗ２が表示装置２００に表示される。
【００４３】
次に、ステップＳ６において、同じ内容の番組が選択されたか否かが判断される。具体的には、図４および図５に示した「Yes」および「No」のいずれが選択されたかが判断される。そして、同じ内容の番組が選択された場合（図４および図５において「Yes」が選択された場合）には、ステップＳ７において、同じ内容の番組が録画予約される。すなわち、録画設定が「高画質」である場合には、録画予約を受け付けた番組に替えて、録画予約を受け付けた番組よりも高画質である同じ内容の番組が録画予約される。また、録画設定が「低画質」である場合には、録画予約を受け付けた番組に替えて、録画予約を受け付けた番組よりも低画質である同じ内容の番組が録画予約される。その一方、同じ内容の番組が選択されなかった場合（図４および図５において「No」が選択された場合）には、ステップＳ８において、録画予約を受け付けた番組が録画予約される。
【００４４】
以上により、ＤＶＤレコーダ１００の録画予約時の動作が終了する。その後、ＤＶＤレコーダ１００では、ＣＰＵ２０により、録画予約された番組が放送された場合に、その番組がＤＶＤまたはハードディスクに録画される。
【００４５】
本実施形態では、上記のように、録画予約を受け付けた際に、録画設定が「高画質」である場合において、録画予約を受け付けた番組よりも高画質である同じ内容の番組が放送される予定がある場合に、表示装置２００に選択画面Ｗ１（図４参照）が表示されるので、録画予約を受け付けた番組に替えて、高画質である同じ内容の番組を利用者が容易に録画予約することができる。
【００４６】
また、本実施形態では、録画予約を受け付けた際に、録画設定が「高画質」である場合において、録画予約を受け付けた番組よりも低画質である同じ内容の番組が放送される予定がある場合に、高画質である録画予約を受け付けた番組がそのまま録画予約される。
【００４７】
また、本実施形態では、録画予約を受け付けた際に、録画設定が「低画質」である場合において、録画予約を受け付けた番組よりも低画質である同じ内容の番組が放送される予定がある場合に、表示装置２００に選択画面Ｗ２（図５参照）が表示されるので、録画予約を受け付けた番組に替えて、低画質である同じ内容の番組を利用者が容易に録画予約することができる。
【００４８】
また、本実施形態では、録画予約を受け付けた際に、録画設定が「低画質」である場合において、録画予約を受け付けた番組よりも高画質である同じ内容の番組が放送される予定がある場合に、低画質である録画予約を受け付けた番組がそのまま録画予約される。
【００４９】
したがって、本実施形態によるＤＶＤレコーダ１００では、録画予約を受け付けた番組と同じ内容の番組が放送される予定がある場合に、録画設定に基づいて、利用者が望む画質の番組を容易に録画予約することができる。
【００５０】
本発明は、上述した以外にも種々の実施形態を採用することができる。たとえば、上記実施形態では、ＤＶＤレコーダ１００に本発明を適用する例を示したが、これに限らず、ビデオデッキなどのその他の記録再生装置に本発明を適用してもよい。
【００５１】
また、上記実施形態では、録画設定が「なし」、「高画質」、または「低画質」のいずれかに設定される例を示したが、これに限らず、録画設定が解像度やビットレートの値で設定されていてもよい。
【００５２】
また、上記実施形態では、ＥＰＧデータや録画設定の内容がＲＯＭ２１に記憶される例を示したが、これに限らず、ＥＰＧデータや録画設定の内容がＨＤＤ部１２に記憶されていてもよい。
【００５３】
また、上記実施形態において、録画予約を受け付けた番組の画質と、同じ内容の番組の画質とが同じ場合には、録画予約を受け付けた番組がそのまま録画予約されるようにしてもよい。
【符号の説明】
【００５４】
２      リモコン（操作部）
１６    ＯＳＤ部（表示制御部）
２０    ＣＰＵ（制御部）
２１    ＲＯＭ（記憶部）
１００  ＤＶＤレコーダ（記録再生装置）
２００  表示装置
【図１】
2010183469.tif 000003
【図２】
2010183469.tif 000004
【図３】
2010183469.tif 000005
【図４】
2010183469.tif 000006
【図５】
2010183469.tif 000007
【図６】
2010183469.tif 000008